(57)【要約】      （修正有）【課題】膝への装着が容易で、装着後もバンド等が膝の裏側に当たって違和感を生じることがなく、掃除等が容易で長寿命の膝当てパッドを提供する。【解決手段】表側は突起群１３が形成されシャークスキン状となって、裏側にはジャージ生地１４が貼着されて、その下部領域１５にフックテープＡ１が設けられた、独立気泡型クロロプレンゴム製のシート１３ａを用いた膝当て部１１と、フックテープＡ１に係合するループテープＢ１を一側全面に有し、膝当て部１１に水平に固定され、他側の端部にはフックテープＣ１が設けられた長尺のバンド部１２とを有している。【選択図】図１
0003228559.tif 000002
【実用新案登録請求の範囲】
【請求項１】
表側は突起群が形成されシャークスキン状となって、裏側にはジャージ生地が貼着されて、その下部領域に水平方向に長いフックテープＡが設けられた、厚みが５〜１０ｍｍの独立気泡型クロロプレンゴム製のシートを用いた膝当て部と、前記フックテープＡに係合するループテープＢを一側全面に有し、前記膝当て部に水平に固定される長尺のバンド部とを有し、前記バンド部の他側の端部にはフックテープＣが設けられて、該バンド部の長手方向一端部と他端部を重ねて係合して、前記膝当て部が固定された前記バンド部を環状に保持可能にしたことを特徴とする膝当てパッド。
【請求項２】
請求項１記載の膝当てパッドにおいて、前記バンド部は、厚みが２〜５ｍｍの独立気泡型クロロプレンゴム製のシートに前記ループテープＢが貼着されていることを特徴とする膝当てパッド。
【請求項３】
表側は突起群が形成されシャークスキン状となって、裏側にはジャージ生地が貼着されて、厚みが５〜１０ｍｍの独立気泡型クロロプレンゴム製のシートを有する膝当て部と、該膝当て部の両側下部を水平に延長して設けられた第１、第２のバンド部とを有し、前記第１のバンド部の裏側及び前記第２のバンド部の表側にはそれぞれ係合するフックテープＡ及びループテープＢが設けられて、前記第１のバンド部と前記第２のバンドを重ねて係合し前記膝当て部と一体となった前記第１、第２のバンド部を環状に保持可能としたことを特徴とする膝当てパッド。
【請求項４】
表側は突起群が形成されシャークスキン状となって、裏側にはジャージ生地が貼着されて、厚みが５〜１０ｍｍの独立気泡型クロロプレンゴム製のシートを有する膝当て部と、該膝当て部の両側下部を水平に延長して設けられた第１、第２のバンド部とを有し、前記第１のバンド部の裏側及び前記第２のバンド部の表側にはそれぞれ係合するループテープＢ及びフックテープＡが設けられて、前記第１のバンド部と前記第２のバンドを重ねて係合し前記膝当て部と一体となった前記第１、第２のバンド部を環状に保持可能としたことを特徴とする膝当てパッド。
【請求項５】
請求項３又は４記載の膝当てパッドにおいて、前記第１のバンド部は前記第２のバンド部より３〜６倍の範囲で長いことを特徴とする膝当てパッド。
【考案の詳細な説明】
【技術分野】
【０００１】
本考案は介護作業において膝や腰を痛めた人が使用する、あるいは膝や腰の負担を軽減したい人が使用可能な膝当てパッドに関する。
【背景技術】
【０００２】
家庭内作業や介護作業においては屈んで膝を床面に付けて作業を行うことが多く、この場合膝に荷重がかかるので、膝を痛める場合がある。そこで、従来、特許文献１、２に示すように、膝に直接被せる膝覆い部をウレタンスポンジなどの柔らかい素材とこれをカバーする伸縮性布地を用いて構成し、この膝覆い部の両側に面ファスナーを用いた係止バンドが設けられた膝当てが提案されていた。
【先行技術文献】
【特許文献】
【０００３】
【特許文献１】特開平１０−４６４１１号公報
【特許文献２】実用新案登録第３１８５００３号公報
【考案の概要】
【考案が解決しようとする課題】
【０００４】
しかしながら、特許文献１、２に記載の膝当ては膝覆い部を膝に固定するバンドが膝覆い部の上下に設けられて、大腿及び下腿にバンドを装着することになり、膝を折り曲げ難いという問題がある。
勿論、１本のバンドで膝覆い部を膝に固定するタイプのものもあるが膝の折曲がり部分中央にバンドが位置するので違和感があるという問題がある。
また膝当ての床に接する面が布又は薄いシートとなっているので、寿命が短く汚れ易いという問題もあった。
【０００５】
本考案はかかる事情に鑑みてなされたもので、膝への装着が容易で、装着後もバンド等が膝の裏側に当たって違和感を生じることがなく、掃除等が容易で長寿命の膝当てパッドを提供することを目的とする。
【課題を解決するための手段】
【０００６】
前記目的に沿う第１の考案に係る膝当てパッドは、表側は突起群が形成されシャークスキン状となって、裏側にはジャージ生地が貼着されて、その下部領域に水平方向に長いフックテープＡが設けられた、厚みが５〜１０ｍｍの独立気泡型クロロプレンゴム製のシートを用いた膝当て部と、前記フックテープＡに係合するループテープＢを一側全面に有し、前記膝当て部に水平に固定される長尺のバンド部とを有し、前記バンド部の他側の端部にはフックテープＣが設けられて、該バンド部の長手方向一端部と他端部を重ねて係合して、前記膝当て部が固定された前記バンド部を環状に保持可能にした。
【０００７】
第１の考案に係る膝当てパッドにおいて、前記バンド部は、厚みが２〜５ｍｍの独立気泡型クロロプレンゴム製のシートに前記ループテープＢが貼着されているのが好ましい。
【０００８】
また、前記目的に沿う第２の考案に係る膝当てパッドは、表側は突起群が形成されシャークスキン状となって、裏側にはジャージ生地が貼着されて、厚みが２〜１０（より好ましくは５〜１０）ｍｍの独立気泡型クロロプレンゴム製のシートを有する膝当て部と、該膝当て部の両側下部を水平に延長して設けられた第１、第２のバンド部とを有し、前記第１のバンド部の裏側及び前記第２のバンド部の表側にはそれぞれ係合するフックテープＡ及びループテープＢが設けられて、前記第１のバンド部と前記第２のバンドを重ねて係合し前記膝当て部と一体となった前記第１、第２のバンド部を環状に保持可能とした。
【０００９】
また、前記目的に沿う第３の考案に係る膝当てパッドは、表側は突起群が形成されシャークスキン状となって、裏側にはジャージ生地が貼着されて、厚みが５〜１０ｍｍの独立気泡型クロロプレンゴム製のシートを有する膝当て部と、該膝当て部の両側下部を水平に延長して設けられた第１、第２のバンド部とを有し、前記第１のバンド部の裏側及び前記第２のバンド部の表側にはそれぞれ係合するループテープＢ及びフックテープＡが設けられて、前記第１のバンド部と前記第２のバンドを重ねて係合し前記膝当て部と一体となった前記第１、第２のバンド部を環状に保持可能とした。
【００１０】
第２、第３の考案に係る膝当てパッドにおいて、前記第１のバンド部は前記第２のバンド部より３〜６倍の範囲で長いのが好ましい。
【考案の効果】
【００１１】
第１〜第３の考案に係る膝当てパッドは、弾力性を有する厚みが５〜１０ｍｍの独立気泡型クロロプレンゴム製のシートを用いているので、透水性がなく、更にはこのシートの表側は突起群が形成されシャークスキン状となっているので、滑り難く汚れも付き難い。
【００１２】
特に、第１の考案に係る膝当てパッドは、バンド部が膝当て部の下側に設けられているので、バンド部を下腿（膝下）に装着することによって膝当て部が膝を覆った状態でこの膝当てパッドを下肢に固定できる。また、第２、第３の考案に係る膝当てパッドにおいては、第１、第２のバンド部の位置が膝当て部の下側に設けられているので、第１、第２のバンド部を膝下に固定することで、膝当て部が膝を覆った状態でこの膝当てパッドを下肢に固定できる。
従来の膝当てパッドのように２本のバンド部を介して、膝当て部に固定するものではないので、膝をより自由に曲げることができる。
【図面の簡単な説明】
【００１３】
【図１】（Ａ）は本考案の第１の実施の形態に係る膝当てパッドの膝当て部の正面図、（Ｂ）は同膝当てパッドの膝当て部の底面図、（Ｃ）は同膝当てパッドのバンド部の正面図、（Ｄ）は同膝当てパッドのバンド部の平面図である。
【図２】同膝当てパッドの使用状態の斜視図である。
【図３】（Ａ）は本考案の第２の実施の形態に係る膝当てパッドの正面図、（Ｂ）は同背面図、（Ｃ）は同平面図、（Ｄ）は同側面図である。
【図４】同膝当てパッドの使用状態の斜視図である。
【考案を実施するための形態】
【００１４】
図１（Ａ）、（Ｂ）、図２に示すように、本考案の第１の実施の形態に係る膝当てパッド１０は、角部が円弧に形成された略四角形状の膝当て部１１と、これに接合される長尺のバンド部１２とを有している。膝当て部１１は、表側に形成された凹凸が多数形成された突起群１３を含む有効厚みが５〜１０ｍｍ（６〜８ｍｍが好ましい、他の実施の形態においても同じ）の独立気泡型クロロプレンゴム製のシート１３ａを用い、突起群１３はシャークスキン状となって滑り止め及び非吸水性に効果がある。膝当て部１１の裏側にはジャージ生地１４が貼着されて、その下部領域１５に水平方向に長いフックテープＡ１が設けられている。
【００１５】
また、図１（Ｃ）、（Ｄ）に示すようにバンド部１２は、厚みが２〜５ｍｍの独立気泡型クロロプレンゴム製の帯状シート１６と、その表側全面（一側全面）に貼付けられたループテープＢ１と、帯状シート１６の裏側全面（他側全面）に貼着されたジャージ生地１７とを有し、幅が３.５〜４.５ｃｍ、長さが３５〜４５ｃｍで全体の厚みが約２〜５ｍｍの帯状物からなっている。また、バンド部１２の裏側の端部（他側の端部）には、フックテープＣ１が設けられ、バンド部１２の表側に設けられているループテープＢ１と任意位置で係合し、膝下を巻くループを形成する。
【００１６】
続いて、この膝当てパッド１０の使用方法について説明する。図１に示すように、膝当て部１１の裏側下部のフックテープＡ１をバンド部１２のループテープＢ１の中央位置に係合させて、バンド部１２を膝当て部１１の下側に水平に取付ける。この状態で、図２に示すように、バンド部１２を使用者の膝１９の直下部分（膝下）に巻き付けて、バンド部１２の長手方向一端部と他端部を重ねて係合し、フックテープＣ１をループテープＢ１に固着させて、バンド部１２を環状に保持する。これによって、使用者が床又は地面に膝１９を着いても膝当て部１１が衝撃や荷重を和らげる。
【００１７】
続いて、図３（Ａ）〜（Ｄ）、図４を参照しながら本考案の第２の実施の形態に係る膝当てパッド２０について説明する。膝当てパッド２０は角部が円弧状となった膝当て部２４を有し、膝当て部２４は両側に連続して形成されている第１、第２のバンド部２５、２６を含んで、厚みが５〜１０ｍｍの独立気泡型クロロプレンゴム製のシート２１を使用している。シート２１の表側は多数の突起群２２が形成されシャークスキン状となって、裏側にはジャージ生地２３が貼着されている。この膝当て部２４の両側には、膝当て部２４の両側下部を水平に延長して設けられた第１、第２のバンド部２５、２６が一体的に接合されている。なお、第１、第２のバンド部２５、２６の長さは異なる（例えば、３〜６対１）場合も同一又は近似の場合もある。なお、膝当て部２４及び第１、第２のバンド部２５、２６の裏側にはジャージ生地２３が貼り付けられているので全体が伸縮し使用者の膝や脚の形状に合わせることができる（他の実施の形態においても同じ）。
【００１８】
そして、第１のバンド部２５の裏側及び第２のバンド部２６の表側にはそれぞれ係合するフックテープＡ２及びループテープＢ２が設けられて、膝当て部２４を突起群２２を表側にした状態で、使用者の膝２７の上に被せ、第１のバンド部２５と第２のバンド２６を重ねて係合し膝当て部２４と一体となった第１、第２のバンド部２５、２６で膝下を巻いた状態で環状に保持している。これによって、使用者が床又は地面に膝２７を着いても膝当て部２４が衝撃や荷重を和らげる。また、膝２７に水がかかっても容易に拭き取ることができる。
【００１９】
第２の実施の形態では、第１のバンド部２５の裏側及び第２のバンド部２６の表側にそれぞれフックテープＡ２及びループテープＢ２を設けたが、第３の実施の形態として、第１のバンド部２５の裏側にループテープを、第２のバンド部２６の表側にフックテープを設けることもできる。
なお、第１の実施の形態ではフックテープＡをフックテープＡ１とし、ループテープＢをループテープＢ１とし、フックテープＣをフックテープＣ１とした。また、第２の実施の形態ではフックテープＡをフックテープＡ２とし、ループテープＢをループテープＢ２とした。
【符号の説明】
【００２０】
１０：膝当てパッド、１１：膝当て部、１２：バンド部、１３：突起群、１３ａ：シート、１４：ジャージ生地、１５：下部領域、１６：帯状シート、１７：ジャージ生地、１９：膝、２０：膝当てパッド、２１：シート、２２：突起群、２３：ジャージ生地、２４：膝当て部、２５：第１のバンド部、２６：第２のバンド部、２７：膝、Ａ１、Ａ２：フックテープ、Ｂ１、Ｂ２：ループテープ、Ｃ１：フックテープ
【図１】
0003228559.tif 000003
【図２】
0003228559.tif 000004
【図３】
0003228559.tif 000005
【図４】
0003228559.tif 000006